(57)【要約】【課題】同時録画された番組の視聴を行う際に視聴中の番組が分りやすく、以ってユーザが視聴し易い電子機器および表示作成方法を提供すること課題とする。【解決手段】同時に録画された複数の番組をザッピング可能に再生するとき、録画番組５０１を表示する表示画面１２１に番組関連情報表示５０２を表示する。番組関連情報表示５０２には録画番組５０１のチャンネル及び放送局に関する情報、および録画番組５０１の表示画面１２１に表示されている時点が録画された時刻である録画時刻５１２等が表示されている。このように録画番組５０１の表示中にチャンネル及び放送局に関する情報及び録画時刻５１２を表示することでユーザはあたかも放送された（録画された）時間に戻ったような感覚で録画された複数の番組を、ザッピング操作しながら視聴することができる。【選択図】図５
2011120249.tif 000002
【特許請求の範囲】
【請求項１】
第１の録画番組と、前記第１の録画番組と同時刻に放送された第２の録画番組とを、切り替え可能に再生する再生手段と、
前記再生手段が、前記第１の録画番組から前記第２の録画番組へと再生を切り替えた場合、前記第２の録画番組の再生箇所と対応する時刻が表示される時刻表示を作成する表示作成手段と、
を具備する電子機器。
【請求項２】
前記表示作成手段は、前記再生手段が前記第１の録画番組から前記第２の録画番組へと再生を切り替えた場合、前記第２の録画番組の再生箇所と対応する時刻と、現在時刻が表示される時刻表示を作成する請求項１記載の電子機器。
【請求項３】
前記表示作成手段は、前記再生手段が前記第１の録画番組を再生した場合、前記第１の録画番組の再生箇所と対応する時刻が表示される時刻表示を作成し、
前記再生手段が前記第１の録画番組から、前記第２の録画番組へと再生を切り替えた場合、前記第１の録画番組の再生中に前記第１の録画番組の再生箇所と対応する時刻が表示された時刻表示と同様の位置に配置されるように、前記第２の録画番組の再生箇所と対応する時刻が表示される時刻表示を作成する請求項１記載の電子機器。
【請求項４】
前記表示作成手段は、前記時刻表示を再生された番組の映像信号に重畳する映像信号として作成する請求項１記載の電子機器。
【請求項５】
前記再生手段が再生する録画番組を表示する表示部を更に具備する請求項１記載の電子機器。
【請求項６】
第１の録画番組と、前記第１の録画番組と同時刻に放送された第２の録画番組とを、切り替え可能に再生する再生手段と、
前記再生手段が、前記第１の録画番組から前記第２の録画番組へと再生を切り替えた場合、前記第２の録画番組のチャンネルの情報を示す表示を作成する表示作成手段と、
を具備する電子機器。
【請求項７】
前記表示作成手段は、前記再生手段が前記第１の録画番組を再生した場合、前記第１の録画番組のチャンネルの情報を示す表示を作成し、
前記再生手段が前記第１の録画番組から、前記第２の録画番組へと再生を切り替えた場合、前記第１の録画番組の再生中に前記第１の録画番組のチャンネルの情報が示された表示と同様の位置に配置されるように、前記第２の録画番組のチャンネルの情報が示された表示を作成する請求項６記載の電子機器。
【請求項８】
前記表示作成手段は、前記チャンネルの情報を示す表示を、再生された番組の映像信号に重畳する映像信号として作成する請求項６記載の電子機器。
【請求項９】
前記再生手段が再生する録画番組を表示する表示手段を更に具備する請求項６記載の電子機器。
【請求項１０】
第１の録画番組と、前記第１の録画番組と同時刻に放送された第２の録画番組とを、切り替え可能に再生し、
前記第１の録画番組から前記第２の録画番組へと再生を切り替えた場合、前記第２の録画番組が録画された時刻が表示される時刻表示を作成する表示作成方法。
【発明の詳細な説明】
【技術分野】
【０００１】
本発明は電子機器および表示作成方法にかかるものであり、特に再生する番組に関する情報を示す表示情報を作成する電子機器および表示作成方法にかかる。
【背景技術】
【０００２】
近年、映像録画技術の発達及び記憶媒体の大容量化が進み、映像記録可能な電子機器にユーザは多くの映像を記録することが可能となった。記憶媒体の録画可能量が大きくなるに従い録画しておける番組数も多くなり、ユーザは録画した映像を再生した際に、この再生した映像がどのような番組なのかを認識することが難しくなっている。
【０００３】
このため、過去に録画した番組を視聴する際、過去に録画したときの時刻や日時をユーザが認識できるように、番組を表示する画面上に録画時刻を表示するデジタル記録再生装置が提案されている。
【先行技術文献】
【特許文献】
【０００４】
【特許文献１】特開２００７−２８１６４１号公報
【発明の概要】
【発明が解決しようとする課題】
【０００５】
現在、複数の放送波を同時に受信することによって、受信した複数の番組（映像）を並行して同時録画する機能を有する電子機器が提案されている。このように同時に複数の番組を視聴のために録画しておく場合、過去に放送されたある番組の視聴中にザッピング操作（チャンネル切り替え操作）によって他の局に切り換えても、それと同じ時間に放送されていた番組へと表示を切り替えるような再生方法を行うことができる。このときユーザはあたかも実際に番組が放送された時間に戻ったような感覚で番組の視聴をすることができる。
【０００６】
しかし、上述のようにいつでもザッピング可能な状態で視聴できると、再生している番組がいつ放送された番組かわかりづらく、また、再生している番組がどの放送局（どのチャンネル）の放送番組かがわかりづらいため、ユーザは再生視聴している番組の特定が難しくなってしまう。
【０００７】
本発明は上記問題に鑑みてなされたものであって、同時録画された番組の視聴を行う際に視聴中の番組が分りやすく、以ってユーザが視聴し易い電子機器および表示作成方法を提供することを目的とする。
【課題を解決するための手段】
【０００８】
本発明にかかる電子機器は、第１の録画番組と、前記第１の録画番組と同時刻に放送された第２の録画番組とを、切り替え可能に再生する再生手段と、前記再生手段が、前記第１の録画番組から前記第２の録画番組へと再生を切り替えた場合、前記第２の録画番組の再生箇所と対応する時刻が表示される時刻表示を作成する表示作成手段と、を具備することを特徴としている。
【０００９】
本発明にかかる表示作成方法は、第１の録画番組と、前記第１の録画番組と同時刻に放送された第２の録画番組とを、切り替え可能に再生し、前記第１の録画番組から前記第２の録画番組へと再生を切り替えた場合、前記第２の録画番組が録画された時刻が表示される時刻表示を作成することを特徴としている。
【図面の簡単な説明】
【００１０】
【図１】本発明の一実施形態における電子機器としてのデジタルテレビの外観の一例を示す概略斜視図。
【図２】本発明の一実施の形態におけるデジタルテレビの構成の一例を示すブロック図。
【図３】本発明の一実施形態におけるデジタルテレビの番組関連情報表示に関する機能ブロックの一例を示すブロック図。
【図４】本発明の一実施形態における現在受信中の番組に表示される番組関連情報表示の一例を示す図。
【図５】本発明の一実施形態における過去に録画を行った番組の再生中に表示される番組関連情報表示の一例を示す図。
【図６】本発明の一実施形態における過去に録画を行った番組の再生中に表示される番組関連情報表示の一例を示す図。
【図７】本発明の一実施形態における番組関連情報表示の作成及び表示処理フローの一例を示すフロー図。
【発明を実施するための形態】
【００１１】
本発明の一実施形態を図面を参照して説明する。
【００１２】
図１は本実施形態における電子機器としてのデジタルテレビ１の外観の一例を示す概略斜視図である。なお、本実施の形態では、本発明における電子機器をデジタルテレビに搭載した場合について説明するが、これに限定されず、放送受信装置、放送受信機能付き携帯電話、放送受信装置が搭載された映像記録装置、およびPC（Personal Computer）等に使用することが可能である。また、空中を伝播することによって配信される放送波による放送番組の提供の場合のみではなく、有線又は無線インターネット網経由で配信されるIP（Internet Protocol）放送等による放送に関して、本発明を適用するとしてもよい。
【００１３】
このデジタルテレビ１は、一例として、後述するチューナ、オーディオアンプ、及び信号処理部等の電子装置を格納する本体１０と、LCD（Liquid Crystal Display）からなる表示部１２０と、音声を出力するスピーカ１１０とを有する。デジタルテレビ１は、図示しないプラグを介して外部から電力を取得し、後述するアンテナを介して地上波デジタル放送波を受信して、受信した地上波デジタル放送波の信号を信号処理部でデコードすることにより映像信号、及び音声信号を出力する。表示部１２０は、デコードされた映像信号を処理して映像を表示する。スピーカ１１０は、デコードされた音声信号を処理して音声を出力する。
【００１４】
図２は、本実施形態におけるデジタルテレビ１の構成の一例を示すブロック図である。
【００１５】
このデジタルテレビ１は、装置各部の動作を制御する制御部１５６を備えている。制御部１５６は、CPU（Central Processing Unit）等を内蔵している。制御部１５６は、操作部１１６から入力される操作信号や、リモートコントローラ１１７から送信され受光部１１８を介して受信される操作信号に応じて、ROM（Read Only Memory）１５７に予め記憶されたシステム制御プログラム及び各種処理プログラムを起動させる。制御部１５６は、起動したプログラムに従って、RAM（Random Access Memory）１５８をワークメモリとして装置各部の動作を制御する。各部の動作制御に必要な各種の設定情報及び制御情報等は、一例として、不揮発性メモリ１５９に格納される。
【００１６】
また、デジタルテレビ１は、一例として、放送形式として地上波アナログ放送、地上波デジタル放送、BSデジタル放送及びCSデジタル放送等を受信することができるように構成され、さらに、これらから供給される番組を録画したりすることができるHDD（Hard Disk Drive）１７０を備えている。
【００１７】
BS／CSデジタル放送受信用のアンテナ１４３は、衛星デジタルテレビジョン放送信号を受信する。受信されたデジタル放送信号は、入力端子１４４を介して衛星デジタル放送用のチューナ１４５に供給される。チューナ１４５は、受信したデジタル放送信号のチューニングを行い、チューニングしたデジタル放送信号をPSK（Phase Shift Keying）復調器１４６に送信する。PSK復調器１４６は、TS（Transport Stream）の復調を行い、復調したTSをTS復号器１４７aに供給し、TS復号器１４７aは、TSをデジタル映像信号及び音声信号等に復号した後、信号処理部１００にこれを出力する。
【００１８】
地上波デジタル放送受信用のアンテナ１４８は、地上波デジタルテレビジョン放送信号を受信する。受信されたデジタル放送信号は、入力端子１４９を介して地上波デジタル放送用のチューナ１５０に供給される。本実施形態において地上はデジタル放送用のチューナ１５０は１１個のチューナを備える（図２においてはそれらを纏めて１つのものとして描写している）。チューナ１５０は、受信したデジタル放送信号のチューニングを行い、チューニングしたデジタル放送信号をそれぞれのOFDM（Orthogonal Frequency Division Multiplexing）復調器１５１に送信する。OFDM復調器１５１は、TSの復調を行い、復調したTSをそれぞれのTS復号器１４７bに供給し、TS復号器１４７bは、TSをデジタル映像信号及び音声信号等に復号した後、信号処理部１００にこれを出力する。なおOFDM復調器１５１とTS復号器１４７ｂはそれぞれ、チューナ１５０の１１個のチューナと同数個である１１個ずつ存在し、それぞれ１つずつチューナ１５０の１１個のチューナに割り当てられている。チューナ１５０の１１個それぞれのチューナで取得した地上波デジタルテレビジョン放送は、これらの複数個のOFDM復調器１５１、TS復号器１４７bによってそれぞれ同時に映像信号及び音声信号として復号された後に信号処理部１００に出力されることが可能である。
【００１９】
アンテナ１４８は、地上波アナログ放送信号も受信可能である。受信された地上波アナログ放送信号は、図示しない分配器によって分配されて、アナログチューナ１６８に供給される。アナログチューナ１６８は、受信したアナログ放送信号のチューニングを行い、チューニングしたアナログ放送信号をアナログ復調器１６９に送信する。アナログ復調器１６９はアナログ放送信号の復調を行い、復調したアナログ放送信号を信号処理部１００に出力する。また、デジタルテレビ１は、一例として、アンテナ１４８が接続される入力端子１４９にCATV（Common Antenna TeleVision）用のチューナを接続することによってCATVも視聴することができる。
【００２０】
信号処理部１００は、TS復号器１４７a、１４７ｂから出力されたデジタル放送信号に、適切なデジタル信号処理を施す。デジタル放送信号は、データ信号、映像信号及び音声信号に分離される。このデータ信号には放送された番組に関する種々の情報である番組関連情報が含まれている。このデータ信号に含まれる番組関連情報としては図４乃至図６にて番組関連情報表示として示される様々な情報が存在する。分離された映像信号はグラフィック処理部１５２に、音声信号は音声処理部１５３に出力される。信号処理部１００は、アナログ復調器１６９から出力された放送信号を、所定のデジタルフォーマットの映像信号及び音声信号に変換する。デジタルに変換された映像信号はグラフィック処理部１５２に、音声信号は音声処理部１５３に出力される。また信号処理部１００は、ライン入力端子１３７からの入力信号にも所定のデジタル信号処理を施す。
【００２１】
OSD（On Screen Display）信号生成部１５４は、制御部１５６の制御に従って、UI（ユーザ・インタフェース）画面などを表示するためのOSD信号を生成する。また信号処理部１００においてデジタル放送信号から分離されたデータ信号は、OSD信号生成部１５４により適切なフォーマットのOSD信号に変換され、グラフィック処理部１５２に出力される。また、OSD信号生成部１５４は、後述する番組関連情報表示作成部によって作成された表示されている番組の番組関連情報表示を表示させるための番組関連情報表示に関する信号を受信し、UI画面や現在視聴中の番組の画像等とこれを合成してグラフィック処理部１５２に出力する。
【００２２】
グラフィック処理部１５２は、信号処理部１００から出力されるデジタルの映像信号のデコード処理を行う。デコードされた映像信号は、OSD信号生成部１５４から出力されたOSD信号と重ね合わせて合成され、映像処理部１５５に出力される。グラフィック処理部１５２は、デコードされた映像信号またはOSD信号を、映像処理部１５５に選択的に出力することもできる。
【００２３】
映像処理部１５５は、グラフィック処理部１５２から出力された信号を、表示部１２０で表示可能なフォーマットのアナログ映像信号に変換する。アナログに変換された映像信号は、表示部１２０に出力され、表示画面１２１に表示される。また、映像処理部１５５は、外部出力端子１３５に接続されたHDDレコーダ等の外部装置に映像信号を出力することができる。
【００２４】
音声処理部１５３は、入力された音声信号を、スピーカ１１０で再生可能なフォーマットのアナログ音声信号に変換する。アナログに変換された音声信号は、スピーカ１１０に出力されて再生される。また、音声処理部１５３は、外部出力端子１３６に接続されたアンプ等の外部装置に音声信号を出力することができる。
【００２５】
カードホルダ１６１は、カードI/F（Interface）１６０を介して制御部１５６に接続されている。第１のメモリーカード１１９Ａは、このカードI/F１６０に装着可能である。第１のメモリーカード１１９Ａは、例えばSD（Secure Digital）メモリーカード、MMC（Multimedia Card）及びCF（Compact Flash）カード等の記憶媒体である。カードホルダ１６１に装着された第１のメモリーカード１１９A、及び制御部１５６は、カードI/F１６０を介して情報の伝達を行うことができる。制御部１５６は、第１のメモリーカード１１９Aに、画像や音楽、放送番組等のデータを格納することができる。また制御部１５６は、第１のメモリーカード１１９Aに格納された画像や音楽、放送番組等のデータを読み出して、表示部１２０に表示させたり、スピーカ１１０から音声出力させたりすることができる。
【００２６】
カードホルダ１６３は、カードI/F１６２を介して制御部１５６に接続されている。第２のメモリーカード１１９Bは、このカードI/F１６２に装着可能である。第２のメモリーカード１１９Bは、例えば放送受信契約の契約情報等を記憶する記憶媒体である。カードホルダ１６３に装着された第２のメモリーカード１１９B、及び制御部１５６は、カードI/F１６０を介して情報の伝達を行うことができる。
【００２７】
第１のLAN（Local Area Network）端子１３１は、通信I/F１６４を介して制御部１５６に接続されている。第１のLAN端子１３１は、イーサネット（登録商標）を用いたLAN対応HDD専用ポートとして使用される。第１のLAN端子１３１にLAN対応のHDDがNAS（Network Attached Storage）として接続された場合、当該HDD及び制御部１５６は、通信I/F１６４を介して、情報の伝達を行うことができる。この場合、制御部１５６は、DHCP（Dynamic Host Configuration Protocol）サーバとして機能し、第１のLAN端子１３１に接続された当該LAN対応のHDDにIP（Internet Protocol）アドレスを割り当てて制御している。
【００２８】
制御部１５６は、当該HDDに画像や音楽、放送番組等のデータを格納することできる。また制御部１５６は、当該HDDに格納された画像や音楽、放送番組等のデータを読み出して、表示部１２０に表示させたり、スピーカ１１０から音声出力させたりすることができる。LAN対応ＨＤＤ専用ポートとしての第１のLAN端子１３１を設けることにより、他のネットワーク環境やネットワーク使用状況等に影響されることなく、当該HDDに対してハイビジョン画質による番組の情報記録を安定して行うことが可能となる。制御部１５６は例えばHDD１７０のような記憶媒体から録画された番組の再生を行い、表示部１２０からの表示や、スピーカ１１０からの音声出力が可能である。制御部１５６は録画番組の再生を行うとき、後述する第一の再生方法、または第二の再生方法のどちらかの再生方法による再生を行うことが可能であり、再生処理の制御を行っている。また制御部１５６は図３を用いて後述する構成を有している。
【００２９】
第２のLAN端子１３２は、通信I/F１６５を介して制御部１５６に接続されている。第２のLAN端子１３２は、イーサネット（登録商標）を用いた一般的なLAN対応ポートとして使用される。この第２のLAN端子１３２には、例えばハブを用いて、LAN対応のHDD、PC（Personal Computer）、HDD内蔵のDVD（Digital Versatile Disk）レコーダ等の機器が接続される。第２のLAN端子１３２に接続された機器及び制御部１５６は、通信I/F１６５を介して情報の伝達を行うことができる。第２のLAN端子１３２にハブを介してブロードバンドルータが接続されている場合、制御部１５６は、当該ブロードバンドルータを介して例えばインターネット等のネットワークに接続することができる。このネットワークにはPCや携帯電話等が接続され、デジタルテレビ１との間で情報の伝達を行うことができる。
【００３０】
通信I/F１６５を介して制御部１５６に接続されるHDD、PC、DVDレコーダ等の機器には、ハードディスクやDVD（光ディスク）等の記憶媒体を装着することが可能である。制御部１５６は、当該記憶媒体に、ハブ及び当該ハブに接続される機器を介して画像や音楽、放送番組等のデータを格納することができる。また制御部１５６は、当該記憶媒体に格納された画像や音楽、放送番組等のデータを読み出して、表示部１２０に表示させたり、スピーカ１１０から音声出力させたりすることができる。
【００３１】
USB（Universal Serial Bus）端子１３３は、USB I/F１６６を介して制御部１５６に接続されている。USB端子１３３は、一般的なUSB対応ポートとして使用される。USB端子１３３には、例えばハブを介して、携帯電話、デジタルカメラ、各種メモリーカードに対するカードリーダ／ライタ、HDD、キーボード等が接続される。制御部１５６は、USB端子１３３を介して接続される機器との間で、情報の伝達を行うことができる。
【００３２】
図３は本実施形態におけるデジタルテレビ１の番組関連情報表示に関する機能ブロックの一例を示すブロック図である。図３には信号処理部１００、HDD１７０、制御部１５６、OSD信号生成部１５４、グラフィック処理部１５２、映像処理部１５５、表示部１２０、録画部３１、情報取得部３２、および番組関連情報表示作成部３３が示されている。
【００３３】
録画制御部３１は制御部１５６の構成の一部であり、デジタルテレビ１の放送番組の録画機能の制御を行う。ユーザのリモートコントローラ１１７等からの放送の録画指示に基づいて放送番組の録画を行う。録画時には録画制御部３１は、信号処理部１００が得たデータ信号、映像信号及び音声信号をHDD１７０に格納する。
【００３４】
本実施形態において録画制御部３１は二つの録画方法による録画処理を実行することができる。一つの録画方法は、あらかじめ予約した所定の時間又は所定の番組の放送時間の間、一つの放送波から取得できる一つの放送番組を録画する第一の録画方法である。もう一つの録画方法は、所定の時間、同時期に放送中の複数の放送波（物理チャンネル）から取得できる複数の放送番組を並行して同時に録画する第二の録画方法である。第二の録画方法による録画時には、例えば地上波デジタル放送受信用のアンテナ１４８から受信し、複数のチューナ１５０によって取得される複数の放送波に含まれ、信号処理部１００でそれらの放送波より取得するデータ信号、映像信号及び音声信号を録画制御部３１は並行してHDD１７０へと格納する。また録画した動画に関して、その動画が第一の録画方法によって録画された動画なのか第二の録画方法によって録画された動画なのかを示す録画方法情報をデータ信号、映像信号及び音声信号等の録画情報と対応付けて格納する。
【００３５】
更に録画制御部３１は番組の録画を行う際に、録画番組の録画時刻と、この録画時刻に録画された録画番組中の映像信号及び音声信号のデータの位置の情報との対応関係を示す録画時刻テーブルを作成する。この録画時刻テーブルとは、例えば４月３日の午前１０時１４分３２秒に録画された録画番組の箇所を示す映像信号及び音声信号と、４月３日の午前１０時１４分３２秒という録画時刻の情報とが対応付けられたテーブルである。
【００３６】
本実施形態においてデジテルテレビ１の録画時の録画情報の格納先はHDD１７０であるが、これに限定されず、各種インターフェース等を介してDVD、外部HDD、SDカード等のデジタルテレビ１の外部記憶媒体に格納してもよい。また、デジタルテレビ１の内部の他の記憶媒体に格納するとしてもよい。
【００３７】
情報取得部３２は制御部１５６の構成の一部であり、デジタルテレビ１が番組関連情報表示を作成する際に使用する各種情報を取得する番組関連情報取得手段としての機能を有している。デジタルテレビ１がユーザからの指示等により、番組関連情報表示を作成するとき、情報取得部３２は信号処理部１００またはHDD１７０より番組関連情報表示を作成する目的の番組に関するデータ信号（番組関連情報）および録画方法情報を取得する。情報取得部３２は現在受信中の番組に関するデータ信号は信号処理部１００より、過去に録画された番組を再生するときのデータ信号および録画方法情報は本実施形態においてはHDD１７０より取得する。本実施形態において情報取得部３２のデータ信号の取得先（入力先）は現在受信中の番組に関するものであれば信号処理部１００より過去に録画された番組に関するものであるならばHDD１７０と例示して説明しているが、例えば取得先がDVD、外部HDD、又はSDカードのような外部記憶媒体や、デジタルテレビ１内部の他の記憶媒体であってもよい。また、録画動画はデジタルテレビ１が録画したものでなく、他の電子機器によって録画された動画であってもよい。情報取得部３２は各種情報を取得するとデータ信号、録画方法情報、及びデータ信号の取得先（入力先）のモジュールの情報（LAN、USB、メモリーカード等）を番組関連情報表示作成部３３に対して送信する。また情報取得部３２は時計を有しており、現在の日時の情報も番組関連情報表示作成部３３に対して送信する。
【００３８】
番組関連情報表示作成部３３は制御部１５６の構成の一部であり、デジタルテレビ１が表示する番組関連情報表示を作成する機能を有している。番組関連情報表示作成部３３は情報取得部３２よりデータ信号、録画方法情報、データ信号の取得先モジュールの情報、および現在時間情報を受信する。番組関連情報表示作成部３３は受信したこれらの情報を元に番組関連情報表示に関する信号を作成する。また番組関連情報表示作成部３３は作成した番組関連情報表示に関する信号をOSD信号生成部１５４に対して送信する。OSD信号生成部は受信した番組関連情報表示に関する信号に基づいてOSD信号を生成し、グラフィック処理部１５２に該OSD信号を出力する。OSD信号を受信したグラフィック処理部１５２は番組関連情報表示のOSD信号と表示を行なう動画（作成した番組関連情報表示に関する動画）とを重ね合わせて合成し、映像処理部１５５に対して合成した信号を出力する。映像処理部１５５は入力を受けた信号に基づいて表示部１２０に番組関連情報表示を表示させる。
【００３９】
図４は本実施形態における現在受信中の番組に表示される番組関連情報表示の一例を示す図である。図４には表示画面１２１、放送番組４０１、番組関連情報表示４０２、割当チャンネル４０３、局ロゴ４０４、放送局名４０５、３桁チャンネル４０６、番組名４０７、放送方式４０８、解像度４０９、アスペクト比４１０、音声モード４１１、現在時刻４１２および番組時間バー４１３が示されている。
【００４０】
放送番組４０１は現在放送中（受信中）の番組であり、表示面１２１全体に表示されている。
【００４１】
番組関連情報表示４０２は放送番組４０１に関する各種情報を表示している。番組関連情報表示４０２には割当チャンネル４０３、局ロゴ４０４、放送局名４０５、３桁チャンネル４０６、番組名４０７、放送方式４０８、解像度４０９、アスペクト比４１０、音声モード４１１、現在時刻４１２、および番組時間バー４１３が表示さている。番組関連情報表示４０２は放送番組４０１に重ねられた状態で表示されており、本実施形態においては放送番組４０１の一部を隠していて放送番組４０１に一部見えない場所が存在するが、例えば番組関連情報表示４０２を半透明にして放送番組４０１の全体映像をユーザが確認できるように表示してもよい。
【００４２】
割当チャンネル４０３はデジタルテレビ１において、放送局名４０５に示される放送局に割り当てられた、ユーザが簡易にデジタルテレビ１の放送局選択操作を行うために割り当てられているチャンネルである。
【００４３】
局ロゴ４０４は放送局名４０５に示される放送局のロゴマークである。
【００４４】
放送局名４０５は現在表示を行なっている放送番組４０１を放送している放送局の名称が示される表示である。
【００４５】
３桁チャンネル４０６は「地デジ」、「BS」、「CS」等の放送波の種類及び各放送局に公式に割り当てられたチャンネル番号を示す表示である。
【００４６】
番組名４０７は放送番組４０１に表示されている番組の番組名を表示している。本実施形態において、番組名４０７には放送番組４０１の番組名を表示しているがこれに限定されず、他にも番組出演者名、番組内容等の放送番組４０１に関連する他の表示、あるいはこれらを組み合わせて表示してもよい。
【００４７】
放送方式４０８は放送番組４０１の放送の方式を表示している。放送方式４０８の「テレビｄ」は放送番組４０１の放送の方式がデジタル放送であることを示しており、このほかには「テレビa」の表示があり、これは表示している放送がアナログ放送であること示す。
【００４８】
解像度４０９は放送番組４０１の解像度を示す表示である。解像度４０９の「HD」は放送番組４０１がハイビジョン放送（High Definition）であることを示しており、このほかには標準画質映像放送であることを示す「SD（Standard Definition）」の表示が存在する。
【００４９】
アスペクト比４１０は放送番組４０１の映像の長辺：短辺の長さの比を示す横縦比の表示である。
【００５０】
音声モード４１１は放送番組４０１の音声出力形式を示す表示である。音声モード４１１には「ステレオ」という表示の他に「モノラル」等の表示も存在する。
【００５１】
現在時刻４１２は現在の時刻を示す表示である。現在時刻４１２は本実施形態において番組関連情報表示４０２の右上部に表示されている。
【００５２】
番組時間バー４１３は放送番組４０１において現在表示している時点が番組全体に対してどれくらい経過した時点なのかをユーザに直感的に認識させる表示である。番組時間バー４１３には左に放送番組４０１の放送開始時間が、右には放送終了時間が示されており、これらの表示の間にバー及びスライダーが表示されている。横向きに表示されている直線がバーであり、この手前に表示されているひし形の表示がスライダーである。スライダーは放送番組４０１の開始時にはバー左端に存在し、時間経過に合わせて左から右へとバー上を移動し、番組終了時にはバー右端へと移動する。
【００５３】
この番組時間バー４１３の表示を作成する際、番組関連情報表示作成部３３は、まず現在時刻の情報及び番組の開始及び終了時刻が含まれているデータ信号を情報取得部３２より受信する。そしてこのデータに基づいて、現在表示している箇所が番組全体に対してどの辺りになるのかの表示である番組時間バー４１３上のスライダーを表示する位置を決定する。
【００５４】
本実施形態においては番組関連情報表示４０２として表示されている情報は上記のものを例示して説明したがこれに限定されない。これら情報は画面構成や表示スペース等の都合により、自由に選択、削除してもよい。
【００５５】
このように現在受信している番組の表示を行なっているときに番組関連情報表示４０２を表示すればユーザはデジタルテレビ１が表示している番組の情報を直感的に把握することができ、視聴したいチャンネルを選択することが容易となる。
【００５６】
図５は本実施形態における過去に録画を行った番組の再生中に表示される番組関連情報表示の一例を示す図である。図５には前述の第二の録画方法にて録画を行った番組を再生中に表示される番組関連情報表示が示されている。第二の録画方法で録画した番組の再生方法として二つの再生方法が存在する。前記二つの再生方法には、並行して録画された番組を一つ選び再生する第一の再生方法と、同時に並行して録画した番組が録画時と同じように放送されているかのように、ユーザのザッピング操作によって視聴番組を切り替えられる第二の再生方法である。第二の再生方法の場合、他の放送局が放送していた番組に切り替わるとき、今まで視聴していた番組の最後に再生した映像が録画された時点の時刻に相当する位置から、新たな番組の再生を開始する。このようにすると過去に録画した番組関連情報を用いて、過去の任意の時点でのザッピング操作が可能となる。第二の再生方法によって再生するとき、ユーザは同時に並行して録画した録画番組を同時に再生しつつ、この再生している中から番組を切り替えているような感覚を得ることができ、過去に戻ってデジタルテレビ１のザッピング操作をしているように感じることができる。
【００５７】
本実施形態において第二の再生方法を用いて録画番組の再生を行った場合を、図５を参照しながら説明する。
【００５８】
図５は本実施形態における録画番組に表示される番組関連情報表示の一例を示す図である。図５の説明において図４の説明と重複する説明は割愛する。
【００５９】
図５（A）は第二の録画方法によって録画され、第二の再生方法によって再生された録画番組を再生しているときの表示画面１２１の一例であり、図５（B）は第二の再生方法による再生中にザッピング操作によってユーザがチャンネルを切り替えたときの表示画面１２１の一例である。
【００６０】
図５（A）において、表示画面１２１には録画番組５０１及び番組関連情報表示５０２が表示されている。番組関連情報表示５０２には割当チャンネル５０３、局ロゴ５０４、放送局名５０５、３桁チャンネル５０６、番組名５０７、放送方式５０８、解像度５０９、アスペクト比５１０、音声モード５１１、録画時刻５１２、録画時刻マーク５１３、録画時間バー５１４、及び現在時刻５１５が含まれている。ここで割当チャンネル５０３、局ロゴ５０４、放送局名５０５、３桁チャンネル５０６、番組名５０７、放送方式５０８、解像度５０９、アスペクト比５１０、音声モード５１１は図４で説明したものとほぼ同様でため、説明を省略する。図４においてはこれらの表示は表示番組４０１に関する内容を示していたが、図５（A）においては録画番組５０１に関する内容を示している。
【００６１】
録画時刻５１２には録画番組５０１が録画された日及び時間を表示している。ここでの録画された時間とは録画番組５０１の表示画面１２１に表示されている時点を録画した録画時刻が示されている。この録画時刻の情報はデータ信号に含まれており、番組関連情報表示作成部３３は情報取得部３２より受信するデータ信号を用いて録画時刻５１２の表示を作成する。また、データ信号には時刻情報とその時刻に放送された映像信号および音声信号の箇所とが対応付けられたテーブル情報である時刻日付オフセットテーブル（TOT）が含まれている。番組関連情報表示作成部３３が録画時刻５１２の表示を作成するときには、この時刻日付オフセットテーブル（TOT）情報を参照する。また、録画制御部３１が作成した録画時刻テーブルの情報を参照して表示を作成するとしてもよい。
【００６２】
日本の地上デジタル放送においては、社団法人電波産業会（ARIB）の標準規格であるARIB  STD−B１０で番組配列情報のテーブルとして、時刻日付テーブル（TDT：Time and Date Table）と、サマータイム実施時のオフセット時間情報を含む時刻日付オフセットテーブル（TOT：Time Offset Table）とが定められており、これらのテーブルにより日本標準時（JST＝協定世界時（UTC）＋９）と修正ユリウス日（MJD）による現在日付と現在時刻とが伝送される。
【００６３】
日本の地上デジタル放送の運用規定を定めたARIB  TR−B１４では、時刻日付オフセットテーブル（TOT）が送信されるデフォルト周期として、５秒が定められており、TOTは５秒に１回の周期で送信される。
【００６４】
図５に示す第二の再生方法で再生した番組の番組関連情報表示５０２では番組関連情報表示５０２における録画時刻５１２の位置を図４の番組関連情報表示４０２における現在時刻４１２と同様の位置に表示している。
【００６５】
録画時刻マーク５１３は録画時刻５１２が現在の時刻ではなく録画したときの時刻であることをユーザに認識させやすくするための表示である。本実施形態において録画時刻マークは時計の針が反対回りをしているような表示を例示しているが、これに限定されるものではなくユーザが録画時刻５１２は現在の時刻と異なることを認識できるような表示であればよい。また本実施形態では録画時刻マーク５１３は録画時刻５１２に横に並んで表示されているが、これに限定されることはなく録画時刻５１２と近接する他の場所に表示されていてもよい。また例えば録画時刻５１２と重なって、録画時刻５１２の奥に表示されるとしてもよい。
【００６６】
録画時間バー５１４は録画番組５０１が録画された時間及び視聴している番組中を全体に対して今表示されている時点はどれくらい経過した時点なのかをユーザに直感的に認識させる表示である。録画時間バー５１４には左に録画番組５０１の放送開始時間が、右に録画番組５０１の放送終了時間が示されており、これらの時間表示の間にバー及びスライダーが表示されている。この録画時間バー５１４はデータ信号に含まれる、番組の開始時間及び終了時間の情報と、時刻日付オフセットテーブル（TOT）とを参照して作成される。
【００６７】
現在時刻５１５は現在の時間を示す表示である。ユーザは現在時刻５１５を見ることによって現在時刻を確認できる。
【００６８】
図５（B）は上述のように第二の再生方法による再生中にザッピング操作によってユーザがデジタルテレビ１のチャンネルを切り替えたときの表示画面１２１である。デジタルテレビ１において第二の再生方法によって録画番組の再生を行うとき、ユーザが例えばリモートコントローラ１１７等でのザッピング操作を行うと、デジタルテレビ１は切り替え先のチャンネルの、並行して録画していた録画番組を表示する。このとき切り替え前のチャンネルの録画番組の再生を行っていた時点の録画時間から、続けて切り替え後のチャンネルの録画番組の再生を行う。このようにチャンネルの切り替えを行なったとしても、表示されている録画時刻は連続又は連続したものに近く、録画時刻が現在時刻のように表示され、また録画時刻が連続しているためユーザは過去に戻ったような感覚でデジタルテレビ１のザッピングおよび視聴をすることができる。
【００６９】
また本実施形態において第二の再生方法における番組関連情報表示５０２、５１２は録画時刻５１２、５３２を表示しながら異なる位置に（表示されている枠が異なっている）現在時刻５１５、５３４を表示するため、ユーザは過去に戻ったような感覚を得ることができながら、再生されている番組が現在放送されている番組であると勘違いをすることなく現在時刻の確認をも行なえる。
【００７０】
図６は本実施形態における過去に録画を行った番組の再生中に表示される番組関連情報表示の一例を示す図である。図６には前述の第一の録画方法によって録画したものを再生する場合、または第二の録画方法によって録画したものを第一の再生方法によって再生された場合に表示される番組関連情報表示６０２が示されている。図６を用いた説明に関して上述しているものと重複する箇所に関してはこれを省略し、異なっている箇所に関して重点的に説明する。
【００７１】
番組関連情報表示６０２は録画番組６０１に関する情報を表示しており、入力先表示６０３、入力先マーク６０４、番組名６０５、放送方式６０６、解像度６０７、アスペクト比６０８、音声モード６０９、現在時刻６１０、および録画時間６１１が表示されている。
【００７２】
入力先表示６０３は録画番組６０１の入力先のモジュールを表示している。本実施形態においてはHDD１７０に格納された録画動画の表示を行なうため、入力先表示６０３には「ハードディスク」と表示されている。本実施形態ではHDD１７０から録画動画を取得して動画の再生を行っているが、前述のようにこれに限定されるものではなく、例えばLAN端子やUSB端子や外部のSDカード等から動画を取得するのであれば入力先表示６０３にはそれぞれ「LAN」、「USB」、「メモリーカード」等の表示が行なわれる。
【００７３】
入力先マーク６０４はユーザが入力先表示６０３で示される入力先のモジュールを直感的に把握できるように、入力先表示６０３で示されるモジュールを簡易的な絵で表した表示である。
【００７４】
現在時刻６１０の番組関連情報表示６０２における表示箇所は図５で示す第二の再生方法による番組関連情報表示５０２における現在時刻５１５の表示箇所とは異なり、図４に示す現在時刻４１２の番組関連情報表示４０２における表示箇所と同様の箇所に表示されている。
【００７５】
録画時間６１１は録画番組６０１を録画した日及び録画した開始時間から終了時間までの時間帯を示している。
【００７６】
本実施形態において図５に示す第二の録画方法で録画し、かつ第二の再生方法によって再生された録画番組５０１の番組関連情報表示５０２と、図４に示す現在放送中の番組である放送番組４０１の番組関連情報表示４０２とはほぼ同様のフォーマットでの表示が行なわれている。図５は図４と比較して録画時刻５１２が図４に示された現在時刻４１２の代わりに表示されており、また現在の時刻を示す表示である現在時刻５１５はそれに伴い異なった場所に表示されている。
【００７７】
また図６に示す第一の再生方法によって再生される録画番組６０１の番組関連情報表示６０２と図５に示す第二の録画方法で録画し、かつ第二の再生方法によって再生された録画番組５０１の番組関連情報表示５０２および、図４に示す現在放送中の番組である放送番組４０１の番組関連情報表示４０２の表示のフォーマットは異なっている。
【００７８】
図５に示す番組関連情報表示５０２においては放送局等に関する情報（割当チャンネル５０３、局ロゴ５０４、放送局名５０５、３桁チャンネル５０６）、録画時刻５１２、および番組の経過時間情報を示すバー（録画時間バー５１４）が番組関連情報表示４０２と同様に示されているのに対し、図６に示す番組関連情報表示６０２にはこれらが表示されておらず、また録画番組６０１の情報を入力するモジュールの情報（入力先表示６０３及び入力先マーク６０４）が表示されている。
【００７９】
第二の録画方法によって録画され、第二の再生方法によって再生された番組の表示を行なう際には、ユーザは同時に録画された複数の番組のザッピング操作を行うことが可能となる。
【００８０】
ある時間にある放送局が放送しているテレビ番組は一つであるため、ユーザは放送している時間帯と、放送局との情報を把握できれば、放送番組を一義的に認識することができる。そのため、ザッピング操作が可能となるように第二の録画方法によって録画され、第二の再生方法によって再生された番組の表示を行なう場合には、録画時刻及び、番組を放送した放送局に関する情報を番組関連情報表示として表示することで、ユーザは過去に戻ったような感覚でザッピング操作をしながらデジタルテレビ１の視聴を行うことが可能となる。
【００８１】
本実施形態において第一の再生方法等によって再生されている場合には、ザッピング操作が不可能なため、録画時刻及び放送局に関する情報を表示は特に不用であり、その場合には録画時刻および放送局に関する情報ではなく、どのモジュールから映像を入力しているかの情報を表示する方がユーザにとって有益であるため番組関連情報６０１のように入力先に関する情報を表示する。
【００８２】
図７は本実施形態における番組関連情報表示の作成及び表示処理フローの一例を示すフロー図である。
【００８３】
まず、ユーザからのリモートコントローラ１１７等からの番組関連情報表示の表示指示（例えばユーザのリモートコントローラ１１７への番組関連情報のための所定のボタンの押下）の受信を待機する（S７１）。このとき番組関連情報表示の表示指示には番組の表示指示等も含まれる。本実施形態においてデジタルテレビ１は番組が（放送中の番組であっても、録画した番組であっても）表示されると最初に番組関連情報表示の表示を行なう。S７１における番組関連情報表示の表示指示を受信しない場合は（No）、処理フローは再びS７１へと戻り、受信するまでループする。
【００８４】
S７１において番組関連情報表示の表示指示を受信するとき（Yes）、情報取得部３２が各種情報を取得する（S７１）。このとき、本実施形態においては表示している番組が現在受信している番組なのであれば、情報取得部３２は信号処理部１００よりデータ信号を取得し、録画番組であるのならばHDD１７０よりデータ信号および録画方法情報を取得する。本実施形態では録画番組の取得先はHDD１７０と例示しているが、上述のように他のモジュールを介して外部より取得しても、またデジタルテレビ１中の他の記憶媒体であってもよい。情報所得部３２は取得したデータ信号、録画方法情報、また情報の取得先モジュール、時間情報を番組関連情報表示作成部３３に対して送信する。
【００８５】
番組関連情報表示作成部３３は前述の各種情報を情報取得部３２より受信すると、情報の取得先のモジュール情報より表示を行なう番組が現在受信中の放送番組であるのか、録画番組であるのかを判別する（S７３）。このとき番組関連情報表示作成部３３は、情報取得部３２が信号処理部１００からデータ信号を取得しているときは、デジタルテレビ１は現在受信中の放送番組の表示を行なうと判別し、信号処理部１００以外のモジュールからデータ信号を取得するときはデジタルテレビ１は録画番組の表示を行なうと判別する。
【００８６】
番組関連情報表示作成部３３はデジタルテレビ１が放送中の番組の表示を行なわないと判別する（録画された番組の表示を行なうと判別する）とき（S７３、No）、番組関連情報表示作成部３３は録画番組の再生方法が第一の再生方法なのか第二の再生方法なのかの情報を取得する。再生処理は制御部１５６が行っているので、番組関連情報表示作成部３３は制御部１５６よりどちらの再生方法で再生を行っているかの情報を取得し、情報取得部３２より受信する録画方法情報および制御部１５６より取得する再生方法の情報に基づいて、録画番組の録画方法が第二の録画方法かつその再生方法が第二の再生方法であるか否かの判別を行う（S７４）。
【００８７】
表示する録画番組が第二の録画方法によって録画されたものであって、かつ、再生方法が第二の再生方法による再生であるとき（S７４、Yes）、番組関連情報表示作成部３３は情報取得部３２より受信するデータ信号より録画番組の表示している箇所の録画時刻および録画番組の開始時間と終了時間の情報を取得し（S７５）、録画時間バーのスライダーの位置を決定する（S７６）。このときの録画時間の取得は前述のようにデータ信号に含まれる時刻日付オフセットテーブル（TOT）より取得してもよいし、録画制御部３１が作成した録画時刻テーブルを利用して取得するとしてもよい。
【００８８】
ここでS７３において表示する番組が現在放送中（受信中）の番組であったとき（Yes）、番組関連情報表示作成部３３は情報取得部３２より受信するデータ信号の録画番組の開始時間及び終了時間の情報と現在時刻の情報に基づいて、番組時間バー４１３のスライダーの位置を決定する（S７７）。
【００８９】
S７４において第二の録画方法かつ第二の再生方法でないとき（No）、またS７６、S７７の終了後番組関連情報表示作成部３３は情報取得部３２より受信するデータ信号に基づいて番組関連情報表示を作成する（S７８）。このとき表示する動画が現在放送中の番組であるか、第二の録画方法かつ第二の再生方法によって表示される録画番組であるか、それ以外の録画及び再生方法によって表示される録画番組であるかによってそれぞれ表示形式は異なっており、それぞれ図４〜図６において表示される表示形式である。
【００９０】
番組関連情報表示を作成した番組関連情報表示作成部３３はそれを上記のように各種構成を介して表示部１２０に表示させる。
【００９１】
以上で一連の処理フローは終了となる。
【００９２】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００９３】
１…デジタルテレビ、１０…本体、１１０…スピーカ、１２０…表示部、１００…信号処理部、１１６…操作部、１１７…リモートコントローラ、１１８…受光部、１１９Ａ…第１のメモリーカード、１１９Ｂ…第２のメモリーカード、１２１…表示画面、１３１…第１のLAN端子、１３２…第２のLAN端子、１３３…USB端子、１３５…外部出力端子、１３６…外部出力端子、１３７…ライン入力端子、１４３…アンテナ、１４４…入力端子、１４５…チューナ、１４６…PSK復調器、１４７…TS復号器、１４８…アンテナ、１４９…入力端子、１５０…チューナ、１５１…OFDM復調器、１５２…グラフィック処理部、１５３…音声処理部、１５４…信号生成部、１５５…映像処理部、１５６…制御部、１５７…ROM、１５８…RAM、１５９…不揮発性メモリ、１６０…カードI/F、１６１…カードホルダ、１６２…カードI/F、１６３…カードホルダ、１６４、１６５…通信I/F、１６６…USBI/F、１６８…アナログチューナ、１６９…アナログ復調器、１７０…HDD、３１…録画制御部、３２…情報取得部、３３…番組関連情報表示作成部、４０１…放送番組、４０２…番組関連情報表示、４０３…割当チャンネル、４０４…局ロゴ、４０５…放送局名、４０６…３桁チャンネル、４０７…番組名、４０８…放送方式、４０９…解像度、４１０…アスペクト比、４１１…音声モード、４１２…現在時刻、４１３…番組時間バー、５０１…録画番組、５０２…番組関連情報表示、５０３…割当チャンネル、５０４…局ロゴ、５０５…放送局名、５０６…３桁チャンネル、５０７…番組名、５０８…放送方式、５０９…解像度、５１０…アスペクト比、５１１…音声モード、５１２…録画時刻、５１３…録画時刻マーク、５１４…録画時間バー、５１５…現在時刻、６０１…録画番組、６０２…番組関連情報表示、６０３…入力先表示、６０４…入力先マーク、６０５…番組名、６０６…放送方式、６０７…解像度、６０８…アスペクト比、６０９…音声モード、６１０…現在時刻、６１１…録画時間。
【図１】
2011120249.tif 000003
【図２】
2011120249.tif 000004
【図３】
2011120249.tif 000005
【図４】
2011120249.tif 000006
【図５】
2011120249.tif 000007
【図６】
2011120249.tif 000008
【図７】
2011120249.tif 000009